(57)【特許請求の範囲】
【請求項１】
画像を形成する複数の作像手段を具えた画像形成部と、
該画像形成部の各作像手段によってそれぞれ形成された各画像が順次転写される中間転写体と、
前記作像手段の一端側に設けられた第一及び第二の送風手段と、
前記画像形成部の鉛直下方側に配置され、前記第一及び第二の送風手段から供給された空気をそれぞれ案内する第一の案内手段及び第二の案内手段と、
前記複数の作像手段を支持する支持部材と
を具え、
前記第一の案内手段は、前記複数の作像手段のうち一つの作像手段に、その鉛直下方側から空気を案内し、
前記第二の案内手段は、前記複数の作像手段のうち、前記一つの作像手段を除く作像手段に、その鉛直下方側から空気を案内し、
前記複数の作像手段を駆動して複数色の画像形成を行う場合は、前記第一の送風手段および前記第二の送風手段を駆動し、前記一つの作像手段を駆動して単色の画像形成を行う場合は、前記第二の送風手段を停止し、
該支持部材には、少なくとも前記第一の案内手段および前記第二の案内手段に案内された空気を前記各作像手段へ吹き出す吹出し口がそれぞれ形成され、
隣り合う作像手段が両側にある作像手段へ空気を吹き出す吹出し口は、その開口の面積が、隣り合う作像手段が片側にある作像手段へ空気を吹き出す吹出し口の開口の面積より大きい
ことを特徴とする画像形成装置。
【請求項２】
画像を形成する複数の作像手段を具えた画像形成部と、
該画像形成部の各作像手段によってそれぞれ形成された各画像が順次転写される中間転写体と、
前記作像手段の一端側に設けられた第一及び第二の送風手段と、
前記画像形成部の鉛直下方側に配置され、前記第一及び第二の送風手段から供給された空気をそれぞれ案内する第一の案内手段及び第二の案内手段と、
前記複数の作像手段を支持する支持部材と
を具え、
該支持部材には、少なくとも前記第一の案内手段および前記第二の案内手段に案内された空気を、前記各作像手段へ吹き出す吹出し口がそれぞれ形成され、
前記各作像手段は、
感光体に画像を形成する現像装置
を有し、
前記支持部材には、前記各吹出し口から吹き出された空気の一部を抑制するＬ字形状の可撓性の抑制部材が取り付けられ、
該抑制部材は、
前記吹出し口の前記現像ロールに近い側の周縁部において前記現像ロールの軸方向に延伸した第一部分と、
前記吹出し口の前記現像ロールの端部に近い側の周縁部において前記軸方向に対し直角方向に延伸した第二の部分と
を具えること
を特徴とする画像形成装置。
【請求項３】
画像を形成する複数の作像手段を具えた画像形成部と、
該画像形成部の各作像手段によってそれぞれ形成された各画像が順次転写される中間転写体と、
前記作像手段の一端側に設けられた第一及び第二の送風手段と、
前記画像形成装置の他端側に取り付けられ、前記複数の作像手段のうち、少なくとも、前記一つの作像手段を除いた複数の作像手段に一括して、前記一端側に位置する第一の送風手段または第二の送風手段から供給される風量よりも多い風量の空気を供給する第三の送風手段と、
前記画像形成部の鉛直下方側に配置され、前記第一及び第二の送風手段から供給された空気をそれぞれ案内する第一の案内手段及び第二の案内手段と
を具え、
前記第一の案内手段は、前記複数の作像手段のうち一つの作像手段に、その鉛直下方側から空気を案内し、
前記第二の案内手段は、前記複数の作像手段のうち、前記一つの作像手段を除く作像手段に、その鉛直下方側から空気を案内し、
前記複数の作像手段を駆動して複数色の画像形成を行う場合は、前記第一の送風手段および前記第二の送風手段を駆動し、前記一つの作像手段を駆動して単色の画像形成を行う場合は、前記第二の送風手段を停止する
ことを特徴とする画像形成装置。
【請求項４】
前記画像形成装置の他端側に取り付けられる第三の送風手段
を具え、
前記第三の送風手段は、前記複数の作像手段のうち、少なくとも、前記一つの作像手段を除いた複数の作像手段に一括して空気を供給する
ことを特徴とする請求項１または２に記載の画像形成装置。
【請求項５】
前記画像形成部の鉛直下方側に設けられ、前記複数の作像手段に電源を供給する電源供給部
を有し、
前記第二の送風手段と前記第三の送風手段のうち少なくとも一方は、前記電源供給部に空気を供給する
ことを特徴とする請求項１〜３のいずれかに記載の画像形成装置。
【請求項６】
前記画像形成部の鉛直上方側に配置され、前記画像形成装置の前記他端側から空気を吸引する吸引手段
を具え、
各作像手段に供給される風量は、前記一端側に位置する第一の送風手段または第二の送風手段から供給される風量が、前記他端側に位置する第三の送風手段から供給される風量より少なくされていること
を特徴とする請求項１または２に記載の画像形成装置。
【請求項７】
前記複数の作像手段を支持する支持部材
を具え、
該支持部材には、少なくとも前記第一の案内手段および前記第二の案内手段に案内された空気を、前記各作像手段へ吹き出す吹出し口がそれぞれ形成されており、
隣り合う作像手段が両側にある作像手段へ空気を吹き出す吹出し口は、その開口の面積が、隣り合う作像手段が片側にある作像手段へ空気を吹き出す吹出し口の開口の面積より、大きいこと
を特徴とする請求項２または３に記載の画像形成装置。
【請求項８】
前記複数の作像手段を支持する支持部材
を具え、
該支持部材には、少なくとも前記第一の案内手段および前記第二の案内手段に案内された空気を、前記各作像手段へ吹き出す吹出し口がそれぞれ形成されており、
前記各作像手段は、
感光体に画像を形成する現像装置
を有しており、
前記支持部材には、前記各吹出し口から吹き出された空気の一部を抑制するＬ字形状の可撓性の抑制部材が取り付けられ、
該抑制部材は、
前記吹出し口の前記現像ロールに近い側の周縁部において前記現像ロールの軸方向に延伸した第一部分と、
前記吹出し口の前記現像ロールの端部に近い側の周縁部において前記軸方向に対し直角方向に延伸した第二の部分と
を具えること
を特徴とする請求項１または３に記載の画像形成装置。
【請求項９】
前記複数の作像手段を支持する支持部材
を具え、
該支持部材には、少なくとも前記第一の案内手段および前記第二の案内手段に案内された空気を、前記各作像手段へ案内する吹出し部がそれぞれ形成されており、
前記各作像手段は、
前記吹出し部の鉛直上方側に取り付けられる現像装置
を有しており、
前記支持部材に取り付けられ、前記各吹出し部から吹き出された空気の一部を抑制する可撓性の抑制部材
を具え、
該抑制部材には、前記現像装置の下部と接触する接触面が形成されている
ことを特徴とする請求項１または３に記載の画像形成装置。
【発明の詳細な説明】
【技術分野】
【０００１】
この発明は、カラープリンタ、カラー複写機などの電子写真方式における画像形成装置に関する。
【背景技術】
【０００２】
近年、電子写真方式の画像形成装置には、カラープリンタやカラー複写機等のカラー画像を形成する装置があり、このカラー画像を形成する電子写真方式の画像形成装置には、タンデム型の記録方式の画像形成装置が提案されている。
【０００３】
このタンデム型の記録方式の画像形成装置とは、複数の感光体を互いに並列的に配置し、各感光体に形成した単色のトナー画像を順次転写することによって、トナー画像の重ね合わせであるカラー画像を形成し該カラー画像を用紙に記録する方式の画像形成装置である。
【０００４】
また、タンデム型の画像形成装置には、各感光体に形成されたトナー画像を、一次転写装置によって、中間転写体である中間転写ベルト上にいったん転写した後、二次転写装置により一括して用紙に転写する間接転写方式の画像形成装置がある（例えば、特許文献１参照。）。
【０００５】
特許文献１に記載の、タンデム型で間接転写方式の画像形成装置は、各感光体のそれぞれに単色のトナー画像を形成する画像形成部を具えている。
【０００６】
この画像形成部は、複数の作像手段を具えてなり、各作像手段は、ドラム状の感光体と、感光体を帯電する帯電装置、帯電した感光体を露光して静電潜像を形成する光書き込み装置、露光した感光体にトナーを付着させて該感光体にトナー画像を形成する現像ローラを有する現像装置、トナー画像を転写した後に感光体上のトナーを取り除くクリーニング装置とを具えている。
【０００７】
この各作像手段は中間転写ベルトの下部側走行辺に沿って並列に配置されており、中間転写ベルトは、その下部の走行辺を、走行方向下流へ向かうほど、作像手段の高さレベルが下方となる方向に傾斜させて配置されている。また、各作像手段の露光手段の鉛直下方には、断面形状が三角形の空間が形成されている。この空間には電源供給部が配置されており、この電源供給部を、各作像手段の光書き込み装置と遮蔽部材によって覆っている。
【０００８】
また従来の画像形成装置には、作像手段を冷却する送風手段を具えたものがある（例えば特許文献２参照。）。
【先行技術文献】
【特許文献】
【０００９】
【特許文献１】特開２００６−０３１０５４号公報
【特許文献２】特許第４１８４１７０号公報
【発明の概要】
【発明が解決しようとする課題】
【００１０】
ところで、近年、画像形成速度の高速化の要請が高まっている。
【００１１】
そこで、タンデム型で間接転写方式の従来の画像形成装置において、画像形成速度を高速にすると、画像形成部の発熱量が増大し、これにより各作像手段の現像装置や感光体の化学的変化等を招いて画像欠陥や装置の不具合等を生じるおそれがあるので、画像形成部の冷却を強化することが必要となる。  
しかし一方で、画像形成装置の小型化もまた要請されており、冷却が必要な画像形成部の鉛直下方から画像形成部に空気を供給するファンを設ける空間がない場合が多い。
【００１２】
そのため画像形成速度の高速化に伴って生じる画像形成部の発熱を、効率的に冷却することができなかった。
【００１３】
上述した事情に鑑み、本発明は、画像形成速度の高速化に伴って生じる画像形成部の発熱を効率的に冷却する画像形成装置を提供することを目的とする。
【課題を解決するための手段】
【００１４】
上述した目的を達成するため、請求項１の発明の画像形成装置は、
画像を形成する複数の作像手段を具えた画像形成部と、
該画像形成部の各作像手段によってそれぞれ形成された各画像が順次転写される中間転写体と、
前記作像手段の一端側に設けられた第一及び第二の送風手段と、  
前記画像形成部の鉛直下方側に配置され、前記第一及び第二の送風手段から供給された空気をそれぞれ案内する第一の案内手段及び第二の案内手段とを具え、  
前記第一の案内手段は、前記複数の作像手段のうち一つの作像手段に、その鉛直下方側から空気を案内するものであり、  
前記第二の案内手段は、前記複数の作像手段のうち、前記一つの作像手段を除く作像手段に、その鉛直下方側から空気を案内するものであり、  
前記複数の作像手段を駆動して複数色の画像形成を行う場合は、前記第一の送風手段および前記第二の送風手段を駆動し、前記一つの作像手段を駆動して単色の画像形成を行う場合は、前記第二の送風手段を停止するようにしたことを特徴とする。
【００１５】
また、請求項２の発明の画像形成装置は、請求項１の発明において、    
前記作像手段の他端側に取り付けられる第三の送風手段を具え、
前記第三の送風手段は、前記複数の作像手段のうち、少なくとも、前記一つの作像手段を除いた複数の作像手段に一括して空気を供給することを特徴とする。
【００１６】
また、請求項３の発明の画像形成装置は、請求項２の発明において、  
前記画像形成部の鉛直下方側に設けられ、前記複数の作像手段に電源を供給する電源供給部を有し、
前記第二の送風手段と前記第三の送風手段のうち少なくとも一方は、前記電源供給部に空気を供給することを特徴とする。
【００１７】
また、請求項４の発明の画像形成装置は、請求項２又は請求項３のいずれか一項に記載の発明において、
前記画像形成部の鉛直上方側に配置され、前記画像形成装置の前記他端側から空気を吸引する吸引手段を具え、  
各作像手段に供給される風量は、前記一端側に位置する第一の送風手段または第二の送風手段から供給される風量が、前記他端側に位置する第三の送風手段から供給される風量より少なくされていることを特徴とする。
【００１８】
また、請求項５の発明の画像形成装置は、請求項１乃至請求項４のいずれか一項に記載の発明において、
前記複数の作像手段を支持する支持部材を具え、  
該支持部材には、少なくとも前記第一の案内手段および前記第二の案内手段に案内された空気を、前記各作像手段へ吹き出す吹出し口がそれぞれ形成されており、  
隣り合う作像手段が両側にある作像手段へ空気を吹き出す吹出し口は、その開口の面積が、隣り合う作像手段が片側にある作像手段へ空気を吹き出す吹出し口の開口の面積より、大きいことを特徴とする。
【００１９】
また、請求項６の発明の画像形成装置は、請求項１乃至請求項５のいずれか一項に記載の発明において、
前記複数の作像手段を支持する支持部材を具え、
該支持部材には、少なくとも前記第一の案内手段および前記第二の案内手段に案内された空気を、前記各作像手段へ吹き出す吹出し口がそれぞれ形成されており、
前記各作像手段は、感光体に画像を形成する現像装置を有しており、
前記支持部材には、前記各吹出し口から吹き出された空気の一部を抑制するＬ字形状の可撓性の抑制部材が取り付けられ、  
該抑制部材は、前記吹出し口の現像ロールに近い側の周縁部において前記現像ロールの軸方向に延伸した第一部分と、前記吹出し口の前記現像ロールの端部に近い側の周縁部において前記軸方向に対し直角方向に延伸した第二の部分とを具えること特徴とする。
【００２０】
また、請求項７の発明の画像形成装置は、請求項１乃至６のいずれかに記載の発明において、
前記複数の作像手段を支持する支持部材を具え、
該支持部材には、少なくとも前記第一の案内手段および前記第二の案内手段に案内された空気を、前記各作像手段へ案内する吹出し部がそれぞれ形成されており、
前記各作像手段は、前記吹出し部の鉛直上方側に取り付けられる、現像装置を有しており、
前記支持部材に取り付けられ、前記各吹出し部から吹き出された空気の一部を抑制する可撓性の抑制部材を具え、
該抑制部材には、前記現像装置の下部と接触する接触面が形成されていることを特徴とする。
【発明の効果】
【００２１】
請求項１の発明によれば、各作像手段の現像装置の鉛直下方から空気を供給しないものに比べて、画像形成速度の高速化に伴って生じる画像形成部の発熱を効率的に冷却することができ、また単色の画像形成を行う場合における冷却の無駄を無くし、単色の画像形成を行う場合における騒音を可及的に防止できる。
【００２２】
また、請求項２の発明は、上記請求項１の発明において、第三の送風手段を具えていない場合に比し画像形成部の冷却の効率を高めることができ、また複数色の画像形成を行う場合に各作像手段毎に送風手段を設ける場合に比べて、画像形成装置の部品点数を削減できる。  
また、請求項３の発明は、上記請求項２の発明において、一つの作像手段を除いた複数の作像手段に一括して空気を供給する送風手段と、電源供給部に空気を供給する送風手段とを別々に設ける場合に比べて、画像形成装置の部品点数を減らすことができる。
【００２３】
また、請求項４の発明は、上記請求項２又は３のいずれかの発明において、一端側の第一の送風手段又は第二の送風手段から供給される空気の風量を、他端側の第三の送風手段から供給される空気の風量と同じにした場合に比べ、機内汚れが生じる虞を可及的に防止でき、特に、第一次転写装置である転写ロール等に機内汚れが生じることを防止し、これによりトナー画像の転写不良が生じて転写後の用紙に画質欠損が生じる虞を可及的に防止できる。
【００２４】
また、請求項５の発明は、上記請求項１乃至４のいずれかの発明において、各吹出し口の開口を互いに同じ面積にした場合に比し、冷却効率が高まる。
【００２５】
また、請求項６の発明は、上記請求項１乃至５のいずれかの発明において、吹出し口から吹き出された空気による機内汚れを可及的に防止でき、特に第一次転写装置に機内汚れが生じる虞を可及的に防止でき、これによりトナー画像の転写不良が生じて転写後の用紙に画質欠損が生じる虞を可及的に防止できる。
【００２６】
また、請求項７の発明は、上記請求項１乃至６のいずれかの発明において、吹出し部から吹き出された空気による機内汚れを可及的に防止でき、特に第一次転写装置に機内汚れが生じる虞を可及的に防止でき、これによりトナー画像の転写不良が生じて転写後の用紙に画質欠損が生じる虞を可及的に防止できる。
【図面の簡単な説明】
【００２７】
【図１】図１は、本願発明の実施例１の電子写真方式における画像形成装置の構成を示す概念端面図である。
【図２】図２は、図１の画像形成装置の要部破断概念拡大斜視図である。
【図３】図３は、図１の画像形成装置の要部断面を示す概念斜視図であり、特に支持部材の断面を示す図である。
【図４】図４は、図１の画像形成装置の要部概念斜視図である。
【図５】図５は、図１の画像形成装置の支持部材に支持された作像手段の様子を示す要部概念断面図であり、特に作像手段の一端側の各吹出し部における断面の様子を概念的に示した図である。
【図６】図６は、図１の画像形成装置の要部概念斜視図であり、空気の流れを示した図である。
【図７】図７は、図１の画像形成装置の要部概念斜視図であり、特に図４の支持部材を取り外した様子を示す図である。
【図８】図８は、図４の画像形成装置の構成および動作・作用を概略的に示す概念平面図であり、特に複数色の画像形成を行う場合であって画像形成装置の機内温度が閾値を超えているときの様子を示す図である。
【図９】図９は、図４の画像形成装置の構成を概略的に示す概念平面図である。
【図１０】図１０は、図４の画像形成装置の構成および動作・作用を概略的に示す概念平面図であり、特に単色の画像形成を行う場合の様子を示す図である。
【図１１】図１１は、図１の画像形成装置の要部概念平面図で、支持部材上の作像手段を一部取り除いた様子を示す図である。
【図１２】図１２は図１１の要部概念断面図であり、特に図１２（ａ）は図１１のH−H概念断面図であり、図１２（ｂ）は図１１のG−G概念断面図である。
【図１３】図１３は、図１の画像形成装置の要部概念左側面図であって、抑制部材の配置位置を概念的に示す図である。
【図１４】図１４は図１の画像形成装置の要部破断概念斜視図である。
【図１５】図１５は、図１の画像形成装置の要部破断拡大平面図である。
【図１６】図１６は、図１１のＫ−Ｋ概念断面図である。
【図１７】図１７は、図１２の作像手段を取り付ける前の様子を示す要部概念断面図であり、図１７（ａ）は、図１１のＨ−Ｈ断面での様子、図１７（ｂ）は図１１のＧ−Ｇ断面での様子を示した図である。
【図１８】図１８は、図４の画像形成装置の支持部材に抑制部材を取り付けない場合に、一端側の吹出し部から吹き出された空気の流れを示す概念断面図であり、特に図１２（ａ）で表した断面での様子を示す図である。
【図１９】図１９は、図４で示す画像形成装置の支持部材に抑制部材を取り付けない場合の様子を示す概念斜視図であって、特に、作像手段の一端側の吹出し部から吹き出された空気の流れを示す図である。
【図２０】図２０は、図１２（ａ）で示す画像形成装置の動作・作用を概念的に示す図である。
【図２１】図２１は、本願の実施例２の画像形成装置の動作・作用を概念的に示す概念平面図である。
【発明を実施するための形態】
【００２８】
以下、本発明に係る画像形成装置について、その一実施の形態のものを、添付図面を参照して詳細に説明する。
【実施例１】
【００２９】
図１は、本願発明の実施例１の電子写真方式における画像形成装置の構成を示す概念端面図である。  
図１で示すように、画像形成装置１は、複数の感光体３を互いに並列的に配置し、各感光体３に形成した単色のトナー画像を順次転写することによって、トナー画像の重ね合わせであるカラー画像を用紙に記録するタンデム型の画像形成装置である。また、この画像形成装置１は、各感光体３に形成されたトナー画像を、一次転写装置１１によって、中間転写体１２上にいったん転写した後、二次転写装置１５により一括して用紙（図示しない）に転写する間接転写方式の画像形成装置である。  
なお、用紙は給紙部１６から供給されて二次転写装置１５に案内される。また、転写後の用紙は定着装置１７によって転写の定着が行われた後、排出部１９に排出される。なお、給紙部１６は、一次転写装置１２、二次転写装置１５および定着装置１７は、画像形成装置１内に設けられている。
【００３０】
この画像形成装置１は、複数の単色のトナー画像を形成する画像形成部２と、該画像形成部２によって形成された複数のトナー画像が、一次転写装置１１によって順次転写される中間転写体１２とを具えている。
【００３１】
このうち、中間転写体１２は、ローラ１３、１４に巻回され、ローラ１３、１４の回転駆動により走行する中間転写ベルトから構成されている。
【００３２】
また、画像形成部２は、図１で示すように、黒（Ｋ）のトナー画像を形成する作像手段２Ｋ、イエロー（Ｙ）のトナー画像を形成する２Ｙ、マゼンタ（Ｍ）のトナー画像を形成する２Ｍ、シアン（Ｃ）のトナー画像を形成する２Ｃを具えている。  
この黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃは、その各感光体３が、この中間転写体１２の下部走行辺１２ａに沿って並べられている。中間転写体１２の下部走行辺１２ａは水平方向に対し傾斜しており、走行方向下流へ向かうほど、シアン（Ｃ）の作像手段２Ｃ、マゼンタ（Ｍ）の作像手段２Ｍ、イエロー（Ｙ）の作像手段２Ｙ、黒（Ｋ）の作像手段２Ｋの高さレベルが下方になるように傾斜している。
【００３３】
黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃは、互いに同じ構造であるので、その構造をマゼンダ（Ｍ）の作像手段２Ｍについて代表して説明すると、図１の画像形成装置の要部破断概念拡大斜視図である図２で示すように、マゼンダ（Ｍ）の作像手段２Ｍは、ドラム状の感光体３を具えるとともに、各感光体３の周囲に、帯電装置４、ＬＥＤを具えた光書き込み装置５、現像ロール８を有する現像装置７およびクリーニング装置９をそれぞれ具えている。
【００３４】
なお、現像装置７は、粉体のトナーを具えた現像剤を搬送する現像剤搬送ロール（符号なし）も具えている。図２乃至後述する図２０では、図１と同一部分を同一符号で示している。
【００３５】
このマゼンダ（Ｍ）の作像手段２Ｍを駆動すると、感光体３が回転し、その回転に従動して帯電装置４および現像ロール８が回転する。またマゼンダ（Ｍ）の作像手段２Ｋを駆動すると、上記現像剤搬送ロールが回転し、またＬＥＤを具えた光書き込み装置５は感光体３に対し光を照射する。そのため、帯電装置４によって感光体３が帯電され、帯電した感光体３が光書き込み装置５のＬＥＤによって露光されて静電潜像が形成され、現像装置７の現像ロール８によって、露光された感光体３に、単色であるマゼンダ（Ｍ）のトナーが付着されて該単色のトナー画像が形成される。また、感光体３上の単色のトナー画像は一次転写装置１１によって中間転写体１２に転写され、その転写の後、感光体３上に残留するトナーは、感光体３の回転中、クリーニング装置９によって取り除かれる。
【００３６】
なお、上記一次転写装置１１は、中間転写体１２を挟んで各感光体３に向い合う転写ロールから構成されている。
【００３７】
また、図１で示すように、画像形成部２は支持部材１０２上に配置されている。この支持部材１０２には、図３乃至図４で示すように、高さが階段状に互いに異なる複数の支持部１０２ａが形成されている。
【００３８】
上記図３は、図１の画像形成装置の要部断面を示す概念斜視図であり、特に支持部材の断面を示す図である。また、図４は、図１の画像形成装置の要部概念斜視図である。なお、図３、図４、後述する図６および図７では、支持部材１０２に支持される各作像手段２Ｋ、２Ｙ、２Ｍ、２Ｃを図示していない。  
この各支持部１０２ａに、図５で示すように、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃが支持される。  
上記図５は、図１の画像形成装置の支持部材上に支持された作像手段の様子を示す要部概念断面図であり、特に作像手段の一端側の各吹出し部における断面の様子を概念的に示した図である。なお、この図５では、複数の作像手段２Ｋ、２Ｙ、２Ｍ、２Ｃのうち、黒（Ｋ）の作像手段２Ｋ、イエロー（Ｙ）の作像手段２Ｙが配置されている様子を代表して図示している。
【００３９】
また、各支持部１０２ａには、図４で示すように、各作像手段２Ｋ、２Ｙ、２Ｍ、２Ｃへ空気を吹き出す第一の吹出し口２５、第二の吹出し口４５又は第三の吹出し口６５が形成されている。
【００４０】
また、図１で示すように画像形成部２の鉛直下方側には、断面形状が三角形の空間Ｓが形成されている。この空間Ｓには、図６で示すように、高圧電源装置１０６を有する電源供給部１０５が配置されている。なお、図６は図１の画像形成装置の要部概念斜視図であり、空気の流れを示した図である。
【００４１】
図７は図１の画像形成装置の要部概念斜視図であり、特に図４の支持部材を取り外した様子を示す図である。なお、図７でも空気の流れを図示している。図７で示すように、支持部材１０２（図４）を取り外すと、電源供給部支持部材１０７が表れるが、この電源供給部支持部材１０７上には、電源供給部１０５（図６）の高圧電源装置１０６が配置されている。なお、電源供給部１０５は、複数の作像手段２Ｋ、２Ｙ、２Ｍ、２Ｃに電源を供給するものである。  
図８は、図４の画像形成装置の構成および動作・作用を概略的に示す概念平面図であり、特に複数色の画像形成を行う場合であって画像形成装置の機内温度が閾値を超えているときの様子を示す図である。図９は、図４の画像形成装置の構成を概略的に示す概念平面図である。
【００４２】
図８および図７で示すように、この画像形成装置１は、該画像形成装置１の外部の空気（外気）ＡおよびＢを作像手段２Ｋ、２Ｙ、２Ｍ、２Ｃの一端側２ａからそれぞれ吸引して画像形成装置１内に供給する第一の送風手段Ｐ１および第二の送風手段Ｐ２と、第一の送風手段Ｐ１及び第二の送風手段Ｐ２から供給された空気をそれぞれ画像形成部２へ案内する第一の案内手段２１及び第二の案内手段４１を具えている。  
このうち、第一の送風手段Ｐ１と第二の送風手段Ｐ２は、作像手段２Ｋ、２Ｙ、２Ｍ、２Ｃの一端側２ａに設けられている。この第一の送風手段Ｐ１と第二の送風手段Ｐ２は、いずれも一端側２ａに位置する画像形成装置１の面１ａに取り付けられている。
【００４３】
なお、作像手段２Ｋ、２Ｙ、２Ｍ、２Ｃの一端側２ａに位置する面１ａと他端側２ｂに位置する面１ｂは、図８で示すように、高圧電源装置１０６をその両側から挟むように配置されている。
【００４４】
なお、作像手段２Ｋ、２Ｙ、２Ｍ、２Ｃの一端側２ａとは、その感光体３の軸方向手前側であり、他端側２ｂとは感光体３の軸方向奥側である（図１３）。感光体３の軸３ａは、図５、図１４等に図示している。
【００４５】
図８および図９で示すように、第一の案内手段２１は、第一の送風手段Ｐ１から供給された空気を、黒（Ｋ）の作像手段２Ｋにその鉛直下方側から案内するものであり、第二の案内手段４１は、第二の送風手段Ｐ２から供給された空気を、イエロー（Ｙ）の作像手段２Ｙ、マゼンタ（Ｍ）の作像手段２Ｍおよびシアン（Ｃ）の作像手段２Ｃに、それらの各鉛直下方側から案内するものである。
【００４６】
また、第一の案内手段２１は、図８で示すように、一端側２ａの面１ａと高圧電源装置１０６の一端側の面１０６ａとの間、又は一端側２ａの面１ａと高圧電源装置１０６の一端側の面１０６ａを延長した仮想面１０６ｃとの間に配置されている。  
この第一の案内手段２１の始端は、作像手段２Ｋ、２Ｙ、２Ｍ、２Ｃの一端側２ａに形成され、第一の送風手段Ｐ１が取り付けられた入口開口部２２であり、第一の案内手段２１の終端は支持部材１０２に形成された第一の吹出し口２５であって、この始端から終端までは、空気を案内する連続した空間が形成されている。この第一の案内手段２１は、その終端を除き支持部材１０２の鉛直下方側に配置されている。
【００４７】
また、第一の吹出し口２１は、黒（Ｋ）の作像手段２Ｋを構成する現像装置７（図５）の鉛直下方側に形成され、第一の案内手段２１に案内された空気を、黒（Ｋ）の作像手段２Ｋの現像装置７へ吹き出すものである。  
なお、図７で示すように、第一の案内手段２１は、一端に第一の送風手段Ｐ１が取り付けられた入口開口部２２が形成され、かつ電源供給部支持部材１０７によってダクト内壁面が形成された入口ダクト部と、この入口ダクト部の他端に一端が連続する中間ダクト部であって、電源供給部支持部材１０７と取付部材２３とによってダクト内壁面が形成された中間ダクト部と、該中間ダクト部の他端に一端が連続し、他端に第一の吹出し口２５が形成されている出口ダクトであって、取付部材２３、電源供給部支持部材１０７および支持部材１０２（図４）とによってダクト内壁面が形成された出口ダクトとを具えている。なお、取付部材２３は、電源供給部支持部材１０７に取り付けられた部材である。
【００４８】
また、第二の案内手段４１は、図８で示すように、一端側２ｂの面１ａと高圧電源装置１０６の一端側の面１０６ａとの間、又は一端側２ａの面１ａと高圧電源装置１０６の一端側２ａの面１０６ａを延長した仮想面１０６ｃとの間に配置されている。
【００４９】
この第二の案内手段４１の始端は、作像手段２Ｋ、２Ｙ、２Ｍ、２Ｃの一端側２ａに形成され、第二の送風手段Ｐ２が取り付けられた入口開口部４２であり、第二の案内手段４１の終端は、支持部材１０２に形成された各第二の吹出し口４５であって、この始端から各終端までは、空気を案内する連続した空間が形成されている。第二の案内手段４１は、その各終端を除き、支持部材１０２の鉛直下方側に配置されている。
【００５０】
また、第二の吹出し口４５は、イエロー（Ｙ）の作像手段２Ｙ、マゼンタ（Ｍ）の作像手段２Ｍ、シアン（Ｃ）の作像手段２Ｃを構成する各現像装置７（図５）の鉛直下方側に、それぞれ形成され、第二の案内手段４１に案内された空気を、イエロー（Ｙ）の作像手段２Ｙ、マゼンタ（Ｍ）の作像手段２Ｍ、シアン（Ｃ）の作像手段２Ｃの各現像装置へ吹き出すものである。
【００５１】
なお、図７で示すように、第二の案内手段４１は、一端に、第二の送風手段Ｐ２が取り付けられた入口開口部４２が形成され、かつダクト内壁面が取付部材４３によって形成される入口ダクト部と、この入口ダクト部の他端に一端が連続する中間ダクト部であって、取付部材４４によってダクト内壁面が形成されている中間ダクト部と、該中間ダクト部の他端に一端が連続し、他端に第二の吹出し口４５が形成されている出口ダクト部であって、取り付け部材４４の凹部４４ａと支持部材１０２とによってダクト内壁面が形成された出口ダクト部とを具えている。
【００５２】
なお、取付部材４３および取付部材４４は、いずれも電源供給部支持部材１０７に取り付けられており、また取付部材４４と取付部材４３は互いに連結されている。
【００５３】
また、この画像形成装置１は、該画像形成装置１の外部の空気（外気）Ｃを作像手段２Ｋ、２Ｙ、２Ｍ、２Ｃの他端側２ｂから吸引して画像形成装置１内に供給する第三の送風手段Ｍと、第三の送風手段Ｍから供給された空気Ｃを画像形成部２へ案内する第三の案内手段６１を具えている。  
このうち、第三の送風手段Ｍは、作像手段２Ｋ、２Ｙ、２Ｍ、２Ｃの他端側２ｂに設けられている。なお、この第三の送風手段Ｍは、他端側２ｂに位置する画像形成装置の面１ｂに取り付けられている。
【００５４】
この第三の送風手段Ｍは、他端側２ｂから吸引した空気Ｃを、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃに供給すると同時に、電源供給部１０５の高圧電源装置１０６にも空気を供給する。
【００５５】
また、第三の案内手段６１は、図８で示すように、作像手段２Ｋ、２Ｙ、２Ｍ、２Ｃの他端側２ｂの面１ｂと高圧電源装置１０６の他端側２ｂの面１０６ｂとの間、又は他端側２ｂの面１ｂと高圧電源装置１０６の他端側２ｂの面１０６ｂを延長した仮想面１０６ｄとの間に配置されている。  
第三の案内手段６１は、第三の送風手段Ｍによって供給された空気を、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃに、それらの各鉛直下方側から案内するものである。
【００５６】
この第三の案内手段６１の始端は、作像手段２Ｋ、２Ｙ、２Ｍ、２Ｃの他端側２ｂに形成され、第三の送風手段Ｍが取り付けられた入口開口部６２であり、第三の案内手段６１の終端は支持部材１０２に形成された各第三の吹出し口６５であって、この始端から各終端までは、空気を案内する連続した空間が形成されている。この第三の案内手段６１は、各終端を除き、支持部材１０２の鉛直下方側に配置されている。
【００５７】
また、第三の吹出し口２１は、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃを構成する各現像装置７（図５参照）の鉛直下方側にそれぞれ形成され、第三の案内手段６１に案内された空気を、黒（Ｋ）の作像手段２Ｋ、イエロー（Ｙ）の作像手段２Ｙ、マゼンタ（Ｍ）の作像手段２Ｍ、シアン（Ｃ）の作像手段２Ｃの各現像装置へ吹き出すものである。
【００５８】
なお、図７で示すように、第三の案内手段６１は、一端に入口開口部６２（図８）が形成され、かつ支持部材１０２と取付部材６３とによってダクト内壁面が形成された入口ダクト部と、この入口ダクト部の他端に一端が連続し、他端に第三の吹出し口６５が形成されている出口ダクト部であって、取付部材６４の凹部６４ａと支持部材１０２とによってダクト内壁面が形成された出口ダクト部とを具えている。  
なお、取付部材６３および取付部材６４は電源供給部支持部材１０７に取り付けられており、また取付部材６４と取付部材６３は互いに連結されている。
【００５９】
また、第三の案内手段６１は、第三の送風手段Ｍによって供給された空気を、第三の送風手段Ｍによって供給された空気を電源供給部１０５の高圧電源装置１０６に案内するものでもある。
【００６０】
第三の案内手段６１は、入口開口部６２を始端とする案内手段であるが、その終端として、第三の案内手段６１に案内された空気を、電源供給部１０５へ吹き出す第四の吹出し口６８を有しており、第三の案内手段６１は、その始端からこの終端までは、空気を案内する連続した空間が形成されている。
【００６１】
なお、第四の吹出し口６８は、取付部材６４に形成された切り欠６４ａと支持部材１０２とによって形成されている。この第四の吹出し口６８と向い合う位置に、図７で示すように高圧電源装置１０６の他端側２ｂの面１０６ｂが配置されている。
【００６２】
図４および図９で示すように第一の吹出し口２５および各第二の吹出し口４５は、作像手段２Ｋ、２Ｙ、２Ｍ、２Ｃの一端側２ａに一列に配置され、また各第三の吹出し口６５は、作像手段２Ｋ、２Ｙ、２Ｍ、２Ｃの他端側２ｂに一列に形成される。また図１０で示すように、黒（Ｋ）の作像手段２の現像装置７の鉛直下方側には、一端側２ａに第一の吹出し口２５が形成され、他端側２ｂに第三の開口部６５が配置される。イエロー（Ｙ）の作像手段２Ｙ、マゼンタ（Ｍ）の作像手段２Ｍ、およびシアン（Ｃ）の作像手段２Ｃの各現像装置７の鉛直下方側には、一端側２ａに第二の吹出し口４５が形成され、他端側２ｂに第三の開口部６５が配置される。
【００６３】
なお、この画像形成装置１では、図４で示すように、画像形成部２の鉛直上方側に、作像手段２Ｋ、２Ｙ、２Ｍ、２Ｃの他端側２ｂから空気を吸引する吸引手段１１１を具えている。この吸引手段は、作像手段２Ｋ、２Ｙ、２Ｍ、２Ｃの他端側２ｂに設けられた図示せぬ吸引口と、該吸引口から吸引された空気を排出する排気用案内手段１１２と、排気用案内手段に取り付けられた排気用送風手段Ｎとを具えている。なお、この排気用送風手段Ｎは作像手段２Ｋ、２Ｙ、２Ｍ、２Ｃの一端側２ａの面１ａに取り付けられている。
【００６４】
次に上述した画像形成装置１の作用・動作を説明し、併せて構成をより詳細に説明する。
【００６５】
この画像形成装置１では、１つの単色の画像形成を行う場合と、複数色の画像形成を行う場合とを選択できる。単色の画像形成を行う場合には、複数の作像手段２Ｋ、２Ｙ、２Ｍ、２Ｃのうちの１つの作像手段が駆動し、複数色の画像形成を行う場合には、該複数の作像手段２Ｋ、２Ｙ、２Ｍ、２Ｃが一括して駆動する。  
この画像形成装置１では、黒（Ｋ）のの画像形成を行う場合と、イエロー（Ｙ）、マゼンタ（Ｍ）、シアン（Ｃ）、黒（Ｋ）の四色の画像形成を行う場合とを選択できる。そして、黒色の画像形成を行う場合には黒（Ｋ）の作像手段２Ｋが駆動し、四色の画像形成を行う場合には、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃが一括して駆動する。  
この画像形成装置１では、複数色の画像形成を行う場合であって画像形成装置１の機内温度が閾値を超えている場合には、少なくとも第一の送風手段Ｐ１および第二の送風手段Ｐ２を駆動し、この実施例ではさらに第三の送風手段Ｍも駆動する。
【００６６】
第一の送風手段P１および第二の送風手段Ｐ２を駆動すると、図７および図８で示すように、第一の送風手段Ｐ１によって吸引された画像形成装置１の外部の空気（外気）Ａは、第一の案内手段２１によって、一端側２ａに位置する第一の吹出し口２５を介して、黒（Ｋ）の作像手段２Ｋの現像装置７に、その鉛直下方側から供給されるともに、第二の送風手段Ｐ２によって吸引された画像形成装置１の外部の空気（外気）Ｂは、第二の案内手段４１によって、一端側２ａに位置する各第二の吹出し口４５を介し、イエロー（Ｙ）の作像手段２Ｙ、マゼンタ（Ｍ）の作像手段２Ｍおよびシアン（Ｃ）の作像手段２Ｃの各現像装置７に、その各鉛直下方側から、それぞれ供給される。
【００６７】
また、第三の送風手段Ｍからによって吸引された画像形成装置１の外部の空気（外気）Ｃは、第三の案内手段６１によって、他端側２ｂに位置する各第三吹出し口６５を介し、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃの各現像装置７に、その各鉛直下方側から、それぞれ供給されると同時に、第三の案内手段６１によって第四の吹出し口６８を介し高圧電源装置１０６に他端側２ｂから供給される。  
なお、画像形成装置１の機内温度が閾値を超えているか否かは、支持部材１０２の鉛直下方であって高圧電源装置１０６の近傍に設けられた温度測定センサによって検知する。
【００６８】
一般に画像形成装置では、画像形成速度を高速にすると黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃで生じる発熱量、いいかえると画像形成部２で生じる発熱量が増大する。  
しかし、この実施例１の画像形成装置１では、作像手段２Ｋ、２Ｙ、２Ｍ、２Ｃの一端側２ａから第一の送風手段Ｐ１および第二の送風手段Ｐ２によって取り込んだ空気を、第一の案内手段２１と第二の案内手段４１とによって、黒（Ｋ）の作像手段２Ｋの現像装置７、イエロー（Ｙ）の作像手段２Ｙの現像装置７、マゼンタ（Ｍ）の作像手段２Ｍの現像装置７およびシアン（Ｃ）の作像手段２Ｃの現像装置７に、その各鉛直下方側から空気を供給するので、各作像手段２Ｋ、２Ｙ、２Ｍ、２Ｃの現像装置７の鉛直下方側から空気が供給されない場合比べて、画像形成部２で生じる発熱を効率的に冷却することができる。
【００６９】
またこの冷却により、各作像手段２Ｋ、２Ｙ、２Ｍ、２Ｃの各現像装置７や感光体３の化学的変化等を招いて画像欠陥や装置の不具合等が生じるおそれを可及的に防止できる。
【００７０】
特に作像手段２Ｋ、２Ｙ、２Ｍ、２Ｃの発熱のうち、現像装置７で生じる発熱量は多く、しかも現像装置７は温度に弱いので、この現像装置７にその鉛直下方側から空気を供給することは、現像装置７を直接冷却することとなって、現像装置７の鉛直下方側から冷却を行わないもの又は現像装置７を間接的に冷却するものに比べて、現像装置７を効率的に冷却することができる。またこの冷却により、各現像装置７の化学的変化等を招いて画像欠陥や装置の不具合等が生じるおそれを可及的に防止できる。
【００７１】
なお、上述した冷却の効率性の向上、及び画像欠陥や装置の不具合等が生じるおそれを可及的に防止する効果は、画像形成装置１に設ける送風手段として、少なくとも第一の送風手段Ｐ１および第二の送風手段Ｐ２とを設けることによって奏し得るが、この実施例１の画像形成装置１のように、作像手段の他端側２ｂに、各作像手段２Ｋ、２Ｙ、２Ｍ、２Ｃの各現像装置７に空気Ｃを供給する第三の送風手段Ｍを設けると、該第三の送風手段Ｍを設けない場合に比し、画像形成部２の各作像手段２Ｋ、２Ｙ、２Ｍ、２Ｃ、特にその現像装置７の冷却効率が一層向上し、またこの冷却により、画像欠陥や装置の不具合等が生じるおそれを一層可及的に防止できる。
【００７２】
また、この実施例１の画像形成装置１では、画像形成部２を冷却する送風手段として、第一の送風手段Ｐ１と第二の送風手段Ｐ２を具えているから、画像形成部２に風量の大きい１つの送風手段を用いる場合に比べて１個あたりの風量が小さい送風手段を用いることができる。
【００７３】
また、この画像形成装置１によれば、画像形成部２と電源供給部１０５の高圧電源装置１０６との間に送風手段を設ける空間はなくても、送風手段より高さが低い第一の案内手段２１と第二の案内手段４１とを設けることができ、これにより画像形成部２の鉛直下方の空間Ｓを有効に活用して画像形成部２を冷却できる。さらに、この画像形成装置１によれば、画像形成部２と電源供給部１０５の高圧電源装置１０６との間に送風手段を設ける空間はなくても、送風手段より高さが低い第三の案内手段６１を設けることができ、これにより画像形成部２の鉛直下方の空間Ｓを一層有効に活用して画像形成装置を一層冷却できる。
【００７４】
また、この画像形成装置１では、第一の送風手段Ｐ１、第二の送風手段Ｐ２又は第三の送風手段Ｍによって画像形成装置１の外部から取り入れた空気Ａ、Ｂ又はＣを、それぞれ第一の案内手段２１、第二の案内手段４１および第三の案内手段６１を介して画像形成装置１内に案内した後、送風手段Ｎによって、他端側２ｂから図示せぬ吸引口を介して吸引して排気用案内手段１１２を介して画像形成装置１の外部へ排出する。  
そのため、この画像形成装置１によれば、画像形成装置１の外部から取り込んだ空気（外気）Ａ、空気Ｂ又は空気Ｃを一端側２ａから他端側２ｂまで案内でき、そのため、画像形成装置１内の空気の循環により画像形成部２を冷却する場合に比べ冷却効果が高い。また、画像形成装置１の外部から取り込んだ空気（外気）Ａ、空気Ｂ及び空気Ｃを一端側２ａと他端側２ｂから共に外気を吹き付ける場合は、一端側２ａから外気を吹き付ける場合に比べ、画像形成部２を冷たい外気で、より一層冷却できる。  
また、この画像形成装置１では、第二の送風手段Ｐ２が、少なくともイエロー（Ｙ）の作像手段２Ｙ、マゼンタ（Ｍ）の作像手段２Ｍおよびシアン（Ｃ）の作像手段２Ｃに一括して空気を供給するから、複数色の画像形成を行う場合に、これら各作像手段２Ｙ、２Ｍ、２Ｃ毎に送風手段を設ける場合に比し、画像形成装置１の部品点数を削減できる。    
なお、この部品点数削減の効果は、少なくともイエロー（Ｙ）の作像手段２Ｙ、マゼンタ（Ｍ）の作像手段２Ｍおよびシアン（Ｃ）の作像手段２Ｃに一括して空気を供給する送風手段を画像形成装置が具えていればよく、この実施例１では、その送風手段として第三の送風手段Ｍを具えているともいえる。
【００７５】
また、この実施例の画像形成装置１では、イエロー（Ｙ）の作像手段２Ｙ、マゼンタ（Ｍ）の作像手段２Ｍおよびシアン（Ｃ）の作像手段２Ｃに少なくとも一括して空気を供給する第三の送風手段Ｍは、該空気の供給と同時に、電源供給部１０５に空気を供給するものとしている。そのため、この各作像手段２Ｙ、２Ｍ、２Ｃに空気を供給する送風手段と、電源供給部１０５に空気を供給する送風手段を別々に設ける場合に比べて、画像形成装置１の部品点数を削減できる。  
なお、この画像形成装置１の部品削減効果は、イエロー（Ｙ）の作像手段２Ｙ、マゼンタ（Ｍ）の作像手段２Ｍおよびシアン（Ｃ）の作像手段２Ｃに少なくとも一括して空気を供給する送風手段が、該空気の供給と同時に、電源供給部１０５に空気を供給するものであればよく、その送風手段は、この実施例１のように第三の送風手段Ｍであってもよいし、例えば第二の送風手段Ｐ２であってもよい。
【００７６】
また、この画像形成装置１では、複数色の画像形成を行う場合であって、画像形成装置１の機内温度が閾値を超えないときは、第一の送風手段Ｐ１および第二の送風手段Ｐ２を駆動しない。この実施例では、さらに、第三の送風手段Ｍも駆動しない。  
第一の送風手段Ｐ１及び第二の送風手段Ｐ２を駆動しないと、画像形成装置１の外部からの空気Ａおよび空気Ｂが取り込まれることはなく、一端側２ａの第一の開口部２５および各第二の開口部４５の鉛直上方の黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃには、空気Ａおよび空気Ｂが供給されない。
【００７７】
また、第三の送風手段Ｍを駆動しないと、画像形成装置１の外部からの空気Ｃが取り込まれることはなく、他端側２ｂの各第三の開口部６５の鉛直上方の黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃおよび電源供給部１０５の高圧電源装置１０６には空気Ｃが供給されない。
【００７８】
上述したように複数色の画像形成を行う場合であって画像形成装置１の機内温度が閾値を超えたときには、画像形成を行って転写が行われる用紙の枚数（以下、「出力枚数」という。）が一定枚数以上であり、これによって画像形成部２の発熱量が、出力枚数が一定枚数未満のものに比べて多いから、そのときは仮に画像形成部２を冷却しないと、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃの各現像装置７や各感光体３の化学的変化等を招いて画像欠陥や装置の不具合等が生じるおそれがあるが、この画像形成装置１では、各作像手段２Ｋ、２Ｙ、２Ｍ、２Ｃに空気Ａまたは空気Ｂを供給しており、これにより各作像手段２Ｋ、２Ｙ、２Ｍ、２Ｃの現像装置７や感光体３の化学的変化等を招いて画像欠陥や装置の不具合等が生じるおそれを可及的に防止できる。
【００７９】
また、複数色の画像形成を行う場合であって画像形成装置１の機内温度が閾値を超えないときには、出力枚数が一定枚数未満であり、これによって画像形成部２の発熱量が、出力枚数が該一定枚数以上のものに比べて少ないから、そのときは、各作像手段２Ｋ、２Ｙ、２Ｍ、２Ｃの現像装置７や感光体３の化学的変化等を招いて画像欠陥や装置の不具合等が生じるおそれは可及的に少ない。そこで各作像手段２Ｋ、２Ｙ、２Ｍ、２Ｃに空気を供給することは不要であるため、この画像形成装置１では、第一の送風手段Ｐ１および第二の送風手段Ｐ２、さらには第三の送風手段Ｍを駆動しないこととした。これにより、第一の送風手段Ｐ１および第二の送風手段Ｐ２、さらに第三の送風手段Ｍを駆動する場合に比べて、冷却の無駄を可及的に防止でき、また騒音も可及的に防止できる。
【００８０】
また、この画像形成装置１では、吸引手段１１１によって他端側２ｂから空気を吸引する。ここで、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃに供給される各風量は、そのうち、一端側２ａに位置する第一の送風手段Ｐ１又は第二の送風手段Ｐ２から供給される風量が、他端側２ｂに位置する第三の送風手段Ｍから供給される風量に比べて少なくなるようにしている。
【００８１】
たとえば、黒（Ｋ）の作像手段２Ｋに供給される風量について代表して説明すると、黒（Ｋ）の作像手段２Ｋに供給される風量は、そのうち、一端側２ａに位置する第一の送風手段Ｐ１から第一の吹出し口２５を介し供給される風量が、他端側２ｂに位置する第三の送風手段Ｍから第三の吹出し口６５を介して供給される風量に比べて少なくなるようにしている。
【００８２】
このように、各作像手段２Ｋ、２Ｙ、２Ｍ、２Ｃに供給される各風量は、そのうちの一端側２ａに位置する第一の送風手段Ｐ１又は第二の送風手段Ｐ２から供給される風量が、他端側２ｂに位置する第三の送風手段Ｍから供給される風量に比べて少なくすると、両者の風量を同じにした場合に比べ、作像手段２Ｋ、２Ｙ、２Ｍ、２Ｃのトナーが飛散して画像形成装置１内の各機器に付着してこれを汚すこと（以下、この汚れを「機内汚れ」という。以下同じ。）が生じる虞を可及的に防止でき、特に、第一次転写装置１１である転写ロール等に機内汚れが生じることを防止し、これにより転写後の用紙に画質欠損（ディフェクト）が生じる虞を可及的に防止できる。
【００８３】
また、図９で示すように四つの作像手段を、黒（Ｋ）の作像手段２Ｋ、イエロー（Ｙ）の作像手段２Ｙ、マゼンタ（Ｍ）の作像手段２Ｍおよびシアン（Ｃ）の作像手段２Ｃの順番で配置する場合に、イエロー（Ｙ）の作像手段２Ｙの両側には、黒（Ｋ）の作像手段２Ｋとマゼンタ（Ｍ）の作像手段２Ｍが配置されており、マゼンタ（Ｍ）の作像手段２Ｍの両側には、イエロー（Ｙ）の作像手段２Ｙ及びシアン（Ｃ）の作像手段２Ｃが配置されている。また、黒（Ｋ）の作像手段２Ｋは、その片側にイエロー（Ｙ）の作像手段２Ｙが配置されており、シアン（Ｃ）の作像手段２Ｃは、その片側にマゼンタ（Ｍ）の作像手段２Ｍが配置されている。
【００８４】
そのため、イエロー（Ｙ）の作像手段２Ｙ、マゼンタ（Ｍ）の作像手段２Ｍには、これらに隣り合う両側の作像手段の発熱によって、隣り合う作像手段が片側にある黒（Ｋ）の作像手段２Ｋ又はシアン（Ｃ）の作像手段２Ｃに比べ、多くの発熱が生じる虞がある。  
そこで、この画像形成装置１では、一端側２ａに形成された第一吹出し口２５および各第二の吹出し口４５のうち、隣り合う作像手段が両側にあるイエロー（Ｙ）の作像手段２Ｙ、マゼンタ（Ｍ）の作像手段２Ｍへ空気を吹き出す第二の吹出し口４５は、その各開口の面積Ｓ１が、隣り合う作像手段が片側にある黒（Ｋ）の作像手段２Ｋ、シアン（Ｃ）の作像手段２Ｃへ空気を吹き出す第一吹出し口２５、第二の吹出し口４５の各開口の面積Ｓ２に比べて大きくなるようにしている（Ｓ１＞Ｓ２）。  
すると、面積Ｓ１の第二の吹出し口４５からイエロー（Ｙ）の作像手段２Ｙ、マゼンタ（Ｍ）の作像手段２Ｍへ吹き出される風量が、面積Ｓ２の第一の吹出し口２５、第二の吹出し口４５から黒（Ｋ）の作像手段２Ｋ、シアン（Ｃ）の作像手段２Ｃへ吹き出される風量より多くなり、これにより隣り合う作像手段が両側にあるか片側にあるかにかかわらずに第一吹出し口２５および第二の吹出し口４５の各開口の面積を互いに同じ面積にした場合に比し、画像形成部の冷却効率を高めることができる。  
なお、ここでは、第一の吹出し口２５および第二の吹出し口４５の各開口の幅Ｗを互いに同じにしており、面１ａに沿った各開口の長さによって開口の面積Ｓ１又は面積Ｓ２にしており、たとえばイエロー（Ｙ）の作像手段２Ｙでは長さＬ１、黒（Ｋ）の作像手段２Ｋでは長さＬ２としている（Ｌ２＞Ｌ１）。  
なお、他端側２ｂの各第三の吹出し口６５についても、上述した正面側の第一の吹出し口２５および各第二の吹出し口４５の場合について上述したのと同様に、隣り合う作像手段が両側にあるイエロー（Ｙ）の作像手段２Ｙ、マゼンタ（Ｍ）の作像手段２Ｍへ空気を吹き出す第三の吹出し口６５は、その各開口の面積Ｓ１が、隣り合う作像手段が片側にある黒（Ｋ）の作像手段２Ｋ、シアン（Ｃ）の作像手段２Ｃへ空気を吹き出す第三の吹出し口６５の各開口の面積Ｓ２に比べて大きくなるようにしており、その開口の面積Ｓ１、Ｓ２を、開口の幅Ｗを同じにし開口の長さの変更により達成する点も、上述した一端側２ａの第一の吹出し口２５および各第二の吹出し口４５の場合と同様である。
【００８５】
図１０は、図４の画像形成装置の構成および動作・作用を概略的に示す概念平面図であり、特に単色の画像形成を行う場合の様子を示す図である。  
図１０で示すように、この画像形成装置１では、単色の画像形成を行う場合には第一の送風手段Ｐ１を駆動する。  
第一の送風手段Ｐ１を駆動すると、第一の送風手段Ｐ１から吸気された画像形成装置１の外部の空気（外気）Ａが、第一の案内手段２１によって、一端側２ａに位置する第一の吹出し口２５を介して、黒（Ｋ）のトナー像を形成する作像手段２Ｋの現像装置７に、その鉛直下方側から供給される。  
そのため、各作像手段２Ｋの現像装置７の鉛直下方側から空気が供給されない場合又は該現像装置７を間接的に冷却する場合に比べて、作像手段２Ｋの発熱を、効率的に冷却することができる。またこの冷却により、作像手段２Ｋの現像装置７や感光体３の化学的変化等を招いて画像欠陥や装置の不具合等が生じるおそれを可及的に防止できる。
【００８６】
特に作像手段２Ｋの発熱のうち、現像装置７で生じる発熱量は多く、しかも現像装置７は温度に弱いので、この現像装置７にその鉛直下方側から空気を供給することは、現像装置７を直接冷却することとなって、現像装置７の鉛直下方側から冷却を行わないもの又は現像装置７を間接的に冷却するものに比べて、現像装置７を効率的に冷却することができる。またこの冷却により、現像装置７の化学的変化等を招いて画像欠陥や装置の不具合等が生じるおそれを可及的に防止できる。
【００８７】
また、この画像形成装置１では、第一の送風手段Ｐ１によって画像形成装置１の外部から取り入れた空気Ａを、第一の案内手段２１を介して画像形成装置１内に案内した後、排気用送風手段Ｎによって、他端側２ｂから図示せぬ吸引口を介して吸引して排気用案内手段１１２を介して画像形成装置１の外部へ排出する。  
そのため、この画像形成装置１によれば、単色の画像形成を行う場合においても、画像形成装置１の外部から取り込んだ空気（外気）Ａを一端側２ａから他端側２ｂまで案内でき、そのため画像形成装置１内の空気の循環により画像形成部２を冷却する場合に比べ冷却効果が高い。
【００８８】
また、単色の画像形成を行う場合には、第二の送風手段Ｐ２を駆動しない。そのため、イエロー（Ｙ）、マゼンタ（Ｍ）、シアン（Ｃ）の作像手段２Ｙ、２Ｍ、２Ｃには空気の供給がなされない。  
また、単色の画像形成を行う場合には、第三の送風手段Ｍを駆動しない。そのため、黒（Ｋ）、イエロー（Ｙ）、マゼンタ（Ｍ）、シアン（Ｃ）の作像手段２Ｋ、２Ｙ、２Ｍ、２Ｃには第三の吹出し口６５を介した空気の供給はなされず、また電源供給部１０５の高圧電源装置１０６への空気の供給もなされない。  
単色の画像形成を行う場合は、画像形成装置１では、黒（Ｋ）、イエロー（Ｙ）、マゼンタ（Ｍ）、シアン（Ｃ）の作像手段２Ｋ、２Ｙ、２Ｍ、２Ｃのうち、黒（Ｋ）の作像手段２Ｋを除く他の作像手段２Ｙ、２Ｍ、２Ｃは駆動しないので、この作像手段２Ｙ、２Ｍ、２Ｃに空気を供給する必要はなく、また画像形成部２で生じる発熱量が複数色転写モードの場合に比べて少ない。
【００８９】
したがって、単色の画像形成を行う場合に、第一の送風手段Ｐ１および第二の送風手段Ｐ２のうちの第一の送風手段Ｐ１を駆動し、第二の送風手段Ｐ２を駆動しないこととし、これにより送風手段Ｐ１と送風手段Ｐ２を駆動する場合に比し、又は画像形成部２の冷却用の送風手段が１個である場合に比し、単色の画像形成を行う場合における冷却の無駄を可及的に防止でき、また単色の画像形成を行う場合における騒音を可及的に防止できる。
【００９０】
また、単色の画像形成を行う場合の場合は画像形成部２で生じる発熱量が複数色の画像形成を行う場合の場合に比べて少ないから、第三の送風手段Ｍを駆動して電源供給部１０５に空気を供給して電源供給部１０５を冷却する必要はなく、そのため送風手段Ｍを駆動する必要はない。そのため、単色の画像形成を行う場合には第三の送風手段Ｍを駆動しないこととし、該第三の送風手段Ｍを駆動する場合に比し、単色の画像形成を行う場合における冷却の無駄を可及的に防止でき、また単色の画像形成を行う場合における騒音を可及的に防止できる。
【００９１】
次に、支持部材１０２の正面側１０１ａ側に形成された第一の吹出し口２５および各第二の吹出し口４５の周縁または近傍の詳細な構造およびその作用について説明する。
【００９２】
図１１は、図１の画像形成装置の要部概念平面図で、支持部材上の作像手段を一部取り除いた様子を示す図である。また図１２は図１１の要部概念断面図であり、特に図１２（ａ）は図１１のＨ−Ｈ概念断面図であり、図１２（ｂ）は図１１のＧ−Ｇ概念断面図である。また、図１３は、図１の画像形成装置の要部概念左側面図であって、抑制部材の配置位置を概念的に示す図である。  
図１１乃至図１３で示すように、第一の吹出し口２５を具えてなる第一の吹き出し部２６および各第二の吹出し口４５を具えてなる第二の吹き出し部４６には、それぞれ、その周縁部の一部または近傍に、第一の吹出し口２５および各第二の吹出し口４５から供給された空気Ａ、Ｂの一部を抑制する空気を抑制する抑制部材８１が取り付けられている。
【００９３】
なお、図１１では、第一の吹出し口２５に対する抑制部材８１が取り付けられ、第二の開口部４５に対する抑制部材８１はまだ取り付けられていない様子を図示しているが、各第二の開口部４５に対しても抑制部材８１が取り付けられる。  
ここでは、抑制部材８１を吹出し口に取り付ける構造および抑制部材８１を取り付けたときの作用は、第一の吹出し口２５および各第二の吹出し口４５において同じであるので、以下では、図１２乃至図２０で示すように、吹出し口２５に抑制部材８１が取り付けられる様子を代表して説明する。
【００９４】
図１４および図１５で示すように、抑制部材８１は、支持部材１０２の支持部１０２ａに取り付けられる可撓性部材から構成されている。たとえば可撓性部材は、スポンジ状部材であり、その材質はたとえば発泡ウレタン等がある。  
上記図１４は図１の画像形成装置の要部破断概念斜視図である。また図１５は、図１の画像形成装置の要部破断拡大平面図である。この図１４および図１５では、一端側２ａの吹出し口２５の周縁部および近傍の様子を示している。またこの図１４および図１５では、黒（Ｋ）作像手段２Ｋを取り除いた様子を示している。  
この抑制部材８１はＬ字形状の部材であり、第一の部分８１ａと第二の部分８１ｂとを具えている。  
このうち、第一部分８１ａは、図１１、図１２（ａ）、図１３乃至図１５で示すように、第一の吹出し口２５の現像ロール８に近い側の周縁部１０２ｂにおいて現像ロール８の軸８ａの軸方向に延伸して形成されている。
【００９５】
また、第二の部分８１ｂは、図１１および図１２（ｂ）、図１４および図１５で示すように第一の吹出し口２５の現像ロール８の端部８ｂ（図１１）に近い側の周縁部１０２ｃにおいて軸８ａの軸方向に対し直角方向に延伸して形成されている。  
また、第一の部分８１ａと第二の部分８１ｂは連続して形成されている。  
なお、図１１のＫ−Ｋ概念断面図である図１６で示すように、一端側２ａの第一の吹出し口２５と、他端側２ｂの第三の吹出し口６５との間には、抑制部材８１は配置されない。なお図１１では、上記第一の吹き出し部２６、第二の吹き出し部４６、および第三の吹き出し口６５を具えてなる第三の吹出し部６６を図示している。
【００９６】
図１７は、図１２の作像手段を取り付ける前の様子を示す要部概念断面図であり、図１７（ａ）は、図１１のＨ−Ｈ断面での様子、図１７（ｂ）は図１１のＧ−Ｇ断面での様子を示した図である。  
図１７（ａ）および図１７（ｂ）で示す支持部材１０２の支持部１０２ａ上に作像手段２Ｋを配置すると、図１２（ａ）および図１２（ｂ）で示すように作像手段２Ｋの現像装置７は、その下部７ａが、抑制部材８１に形成されている接触面８１ｃに接触し、これにより黒（Ｋ）の作像手段２Ｋは、抑制部材８１を介し支持部１０２ａに支持される。また、第一の吹出し口２５は、黒（Ｋ）の作像手段２Ｋの現像装置７の鉛直下方側に配置される。
【００９７】
図１８は、図４の画像形成装置の支持部材に抑制部材を取り付けない場合に、正面側の吹出し部から吹き出された空気の流れを示す概念断面図であり、特に図１２（ａ）で表した断面での様子を示す図である。また、図１９は、図４で示す画像形成装置の支持部材に抑制部材を取り付けない場合の様子を示す概念斜視図であって、特に、一端側の吹出し部から吹き出された空気の流れを示す図である。
【００９８】
図１８で示すように、正面側１０１ａの吹出し口２５から吹き出された空気Ａ（図８および図１０）は、作像手段２Ｋの現像装置７の筐体７ｂに鉛直下方側から吹き付けられ、現像装置７の筐体７ｂに沿って、第一吹出し口２５に対し現像ロール８が配置されている側と現像ロール８が配置されていない側とに分岐される。  
現像ロール８が配置されている側には該現像ロール８を具えた作像手段の感光体３があるから、現像ロール８が配置されている側に分岐された空気Ｆ１は、現像ロール８と感光体３との接線（現像ニップ）Ｎの方向に向かう。一方、現像ロール８が配置されていない側に分岐された空気の流れＦ２は、現像装置７の筐体７ｂに沿って流れて、現像ロール８が配置されていない側に隣接する作像手段があるときは、その感光体３へ向かう。
【００９９】
このように二つに分岐され空気の流れＦ１およびＦ２のうち、流れＦ１は、現像ニップ部において、現像剤が穂状に立ち上がる現像剤穂立ち又は感光体３と現像ロール８との間に取り付けられたフィルムシール７０等に沿って現像ニップＮ近傍で現像ロール８の軸８ａの軸方向に沿った流れＦ３（図２０）を形成し、流れＦ４で示すように現像ロール８の軸８ａの端部８ｂで解放される。  
このとき、軸８ａの端部８ｂで解放された空気が、現像ニップＮ近傍の該端部８ｂの、飛散しているトナー（トナークラウド）を巻きこみ、このトナーを、画像形成装置１内の至るところへ運ぶので、運ばれたトナーが画像形成装置１内の各機器に付着してこれを汚す（以下、この汚れを「機内汚れ」という。）虞がある。特に、第一次転写装置１１である転写ロールに機内汚れが生じると、トナー画像の転写不良を生じて転写後の用紙に画質欠損（ディフェクト）が生じる虞がある。
【０１００】
そこで、図２０で示すように抑制部材８１によって、現像ロール８が配置されている側へ流れる空気の流れＦ１を封止している。このように抑制部材８１が第一の吹出し口２５からの吹き出し方向を規制すると、機内汚れを可及的に防止でき、特に第一次転写装置に機内汚れが生じる虞を可及的に防止できるから、トナー画像の転写不良が生じて転写後の用紙に画質欠損（ディフェクト）が生じる虞も可及的に防止できる。なお、図２０は、図１２（ａ）で示す画像形成装置の動作・作用を概念的に示す図であり、本願発明の理解のため説明上、流れＦ１を図示している。
【実施例２】
【０１０１】
図２１は、本願の実施例２の画像形成装置の動作・作用を概念的に示す概念平面図である。この図２１では、図１と同一部分を同一符号で示している。
【０１０２】
実施例２の画像形成装置１０１では、第一の案内手段２１が、黒（Ｙ）の作像手段２Ｋに、その鉛直下方側から空気を案内するものである点では実施例１と同一であるが、第一の案内手段２１の終端は、実施例１のものと異なり、一端側２ａの第一の吹出し口２５と、他端側２の第一の吹出し口２５の２つである。
【０１０３】
第三の案内手段４１は、その終端として、実施例１のように黒（Ｙ）の作像手段２Ｋの鉛直下方側から空気を案内する第三の吹出し口６５を有しない。
【０１０４】
この実施例２の画像形成装置１０１では、第一の送風手段Ｐ１から供給された空気Ａは、第一の案内手段２１によって、一端側２ａの第一の開口部２５と、他端側２ｂの第一の吹出し口２５を介して、黒（Ｋ）の作像手段２Ｋに空気Ａが供給されるから、正面側１０１ａ側の第一の吹出し口２５から黒（Ｋ）の作像手段２Ｋに空気が供給される実施例１のものに比べ、単色の画像形成を行う場合の作像手段Ｋを冷却する風力が増し、冷却効果を高くすることができる。
【０１０５】
なお、第三の送風手段Ｍから供給された空気Ｃは、第三の案内手段３１によっては黒（Ｋ）の作像手段２Ｋに案内されず、空気Ｃは、イエロー（Ｙ）の作像手段２Ｙ、マゼンタ（Ｍ）の作像手段２Ｍおよびシアン（Ｃ）の作像手段２Ｃに、それらの各鉛直下方側から供給されると同時に、実施例１と同様、電源供給部１０５の高圧電源装置１０６へ空気が供給される。
【０１０６】
なお、実施例１、２の画像形成装置１、１０１では第三の送風手段Ｍによって電源供給部１０５に空気を供給することとしたが、第三の送風手段Ｍに代えて、第二の送風手段Ｐ２によって電源供給部１０５に空気を供給してもよく、その場合には、第三の送風手段Ｍを設けなくても、画像形成部２および電源供給部１０５に空気を供給できる。
【０１０７】
また、上記実施例１、２の画像形成装置１、１０１では、黒（Ｋ）、イエロー（Ｙ）、マゼンタ（Ｍ）、シアン（Ｃ）を配置する順番を、中間転写体１２の下部走行辺１２ａの走行方向下流へ向かうほど、シアン（Ｃ）の作像手段２Ｃ、マゼンタ（Ｍ）の作像手段２Ｍ、イエロー（Ｙ）の作像手段２Ｙ、黒（Ｋ）の作像手段２Ｋの高さレベルが下方になるように配置したが、作像手段の配置順はこれに限定されず、複数色の作像手段２Ｋ、２Ｙ、２Ｍ、２Ｃのうち、単色の画像形成を行う場合に駆動する作像手段と、それを除く他の色の作像手段と分けて配置すればよい。
【０１０８】
上記実施例１、２の画像形成装置１、１０１では、黒（Ｋ）、イエロー（Ｙ）、マゼンタ（Ｍ）、シアン（Ｃ）の四色転写を行うプリンタであって、黒色の画像形成を行う場合と四色の画像形成を行う場合とを選択できる画像形成装置について説明したが、この発明では、単色の画像形成を行う場合の画像形成の色は、黒（Ｋ）に限定されない。また、この発明では、複数色の画像形成を行う場合での画像形成の色も黒（Ｋ）、イエロー（Ｙ）、マゼンタ（Ｍ）、シアン（Ｃ）に限定されずこれらと異なる色でもよいし、また複数色の画像形成を行う場合での画像形成の色も４色に限定されず、複数以上あればよい。
【０１０９】
上記実施例１、２の画像形成装置１、１０１では、黒色の画像形成を行う場合と四色の画像形成を行う場合とを選択できるプリンタへの適用例を挙げたが、本発明はこれに限らず、単色の画像形成を行う場合と複数色の画像形成を行う場合とを選択して行うことができる画像形成装置全般に適用できる。
【０１１０】
この他、上記実施例に限定することなく、その要旨を変更しない範囲内で適宜変形して実施できるものである。
【産業上の利用可能性】
【０１１１】
本発明は、単色の画像形成を行う場合と複数色の画像形成を行う場合とを選択して行うことができる画像形成装置全般に適用できる。
【符号の説明】
【０１１２】
１、１０１…画像形成装置
２…画像形成部
２ａ…一端側
２ｂ…他端側
２Ｋ、２Ｙ、２Ｍ、２Ｃ…作像手段
２Ｋ…一つの作像手段、
２Ｙ、２Ｍ、２Ｃ…一つの作像手段を除く作像手段
２Ｙ、２Ｍ、２Ｃ…少なくとも三つの作像手段
２Ｙ、２Ｍ…隣り合う作像手段が両側にある作像手段
２Ｋ、２Ｃ…隣り合う作像手段が片側にある作像手段
７…現像装置
８…現像ロール
８ａ…現像ロールの軸
８ｂ…現像ロールの端部
２１…第一の案内手段
２５、４５、６５…吹出し口（第一の吹出し口、第二の吹出し口、第三の吹出し口）
２６、４６、６６…吹出し部（第一の吹出し部、第二の吹出し部、第三の吹出し部）
４１…第二の案内手段
６１…第三の案内手段
８１…抑制部材
８１ａ…第一部分
８１ｂ…第二の部分
８１ｃ…接触面
１０２…支持部材
１０２ｂ…吹出し口の現像ロールに近い側の周縁部
１０２ｃ…吹出し口の現像ロールの端部に近い側の周縁部
１０５…電源供給部
１１１…吸引手段
Ｐ１…第一の送風手段
Ｐ２…第二の送風手段
Ｍ…第三の送風手段
Ｍ、Ｐ２…一つの送風手段
【図１】
0005413803.tif 000002
【図８】
0005413803.tif 000003
【図９】
0005413803.tif 000004
【図１０】
0005413803.tif 000005
【図１２】
0005413803.tif 000006
【図１６】
0005413803.tif 000007
【図１７】
0005413803.tif 000008
【図２１】
0005413803.tif 000009
【図２】
0005413803.tif 000010
【図３】
0005413803.tif 000011
【図４】
0005413803.tif 000012
【図５】
0005413803.tif 000013
【図６】
0005413803.tif 000014
【図７】
0005413803.tif 000015
【図１１】
0005413803.tif 000016
【図１３】
0005413803.tif 000017
【図１４】
0005413803.tif 000018
【図１５】
0005413803.tif 000019
【図１８】
0005413803.tif 000020
【図１９】
0005413803.tif 000021
【図２０】
0005413803.tif 000022